(57)【要約】【課題】表示品位を向上させる導光板、面状光源装置、及び表示装置を提供することを目的とする。【解決手段】本発明にかかる導光板は、光源１１が発する光を面状に導く導光板１３であって、光源により入射面２１から入射された光を出射面２２から面状に出射させる本体部１３ａと、本体部１３ａの入射面２１と出射面２２との間に位置する側面２３に、本体部１３ａとの接続部又は内部が有色となるように本体部１３ａと一体成形され、光源１１に対する位置を固定する凸部１７とを備えたものである。また、本発明にかかる面状光源装置は導光板１３を備えたバックライト・ユニット２であり、本発明にかかる表示装置はバックライト・ユニット２を備えた液晶表示装置１である。【選択図】  図２
2004213948.tif 000002
【特許請求の範囲】
【請求項１】
入射面から入射した光を面状に導く導光板であって、
本体部と、
前記本体部の側面に形成された凸部を備え、
前記凸部及び／又は前記凸部と前記本体部との接続部近傍において、前記導光板の内部が有色材料により形成されている、導光板。
【請求項２】
前記凸部の実質的に全ての部分が有色である、請求項１記載の導光板。
【請求項３】
前記凸部と前記本体部との接続部の角部であって、前記入射面から遠い角部及び／又は前記入射面に近い角部が有色である、請求項１記載の導光板。
【請求項４】
前記有色部は、多色成形によって前記導光板と一体に形成されている、請求項１に記載の導光板。
【請求項５】
前記凸部は、前記入射面と前記入射面に対向する反入射面との間に位置する側面に形成されている、請求項１に記載の導光板。
【請求項６】
光源と、前記光源から入射面に入射した光を面状に導く導光板とを備えた面状光源装置であって、前記導光板は、
本体部と、
前記本体部の側面に形成された凸部を備え、
前記凸部及び／又は前記凸部と前記本体部との接続部近傍において、前記導光板の内部が有色材料により形成されている、面状光源装置。
【請求項７】
さらに、前記凸部が嵌る凹部を有し、当該凹部に前記凸部が嵌ることにより、前記導光板を保持するフレームを備え、
前記凸部は、当該フレームの材料の光学的性質と実質的に同一の光学的性質を有する材料により形成される、請求項６に記載の面状光源装置。
【請求項８】
面状光源装置と、前記面状光源装置からの光を制御することによって表示を行う表示パネルとを備える表示装置であって、前記面状光源装置は、光源と前記光源から入射面に入射した光を面状に導く導光板と備え、
前記導光板は、
本体部と、
前記本体部の側面に形成された凸部を備え、
前記凸部もしくは前記凸部と前記本体部との接続部近傍において、前記導光板の内部が有色材料により形成されている、
表示装置。
【発明の詳細な説明】
【０００１】
【発明の属する技術分野】
本発明は、導光板、面状光源装置、及び表示装置に関する。
【０００２】
【従来の技術】
パーソナルコンピュータ、その他各種モニタ用の画像表示装置として、液晶表示装置の普及は目覚しいものがある。液晶表示装置は、典型的には、液晶表示パネルと、その背面に配置されたバックライト・ユニットと、を有する。液晶表示パネルは、その透過光を制御することにより、画像表示を行う。いくつかのタイプの液晶表示装置の一つに、サイドライト型（エッジライト型とも呼ばれる）のバックライト・ユニットを有するものがある。これは、液晶表示装置の薄型化のために、光源を表示面の側面に配置したものである。
【０００３】
図１１を用いて、この従来の面状光源装置について説明する。従来の面状光源装置であるバックライト・ユニット１１０は、光源１１１、リフレクタ１１２、プリズム・シート１１３、反射シート１１４、導光板１１５、フレーム１１６、拡散シート１１８ａ、１１８ｂを備えている。光源１１１より発せられた光は、導光板１１５へ直接入射し、あるいはリフレクタ１１２に反射されて導光板１１５へ入射する。入射面１２１から導光板１１５に入射した光は、主として出射面１２２と反出射面１２４の間で全反射を繰り返しながら、反入射面１２５方向へ伝搬する。
【０００４】
導光板に入射した光は、出射面１２２の法線となす角が臨界角以下になると、出射面１２２より拡散シート１１８ａへ出謝される。導光板１１５から出射された光は、拡散シート１１８ａで拡散された後、プリズム・シート１１３に入射する。プリズム・シート１１３は反射、屈折を利用することにより、配光特性を調整し、拡散シート１１８ｂに光を出射する。拡散シート１１８ｂは、プリズム・シート１１３から出射される光を拡散する。
【０００５】
図１１に示すように、この従来のバックライト・ユニット１１０では、導光板１１５をフレーム１１６等に保持又は位置決めするために、導光板１１５の入射面１２１にほぼ直交する側面１２３上に凸部１１７が設けられている。この凸部１１７がフレーム１１６の凹部１１９に嵌ることによって、導光板１１５のフレーム１１６における位置が固定される。
【０００６】
ところが、従来のバックライト・ユニット１１０では、側面１２３に設けた凸部１１７の影響により、明暗むらを生じ、表示品位の低下を招く。図１２に示すように、導光板１１５内を伝搬する光は、側面１２３に到達すると、導光板１１５の内側へと反射される。これに対して、導光板１１５内を伝搬する光は、凸部１１７の部分では、側面１２３に到達する光よりも広がって凸部１７の部分に侵入した後、凸部１１７の側面に到達して反射する。そのため、凸部１１７近傍の出射面１２２に到達する光量が少ない部分が生じ、暗部Ａが視認される。
【０００７】
さらに、従来のバックライト・ユニット１１０では、側面１２３に設けた凸部１１７の影響により、凸部１１７と側面１２３の接続部の角では、光が特定の方向に強く反射される。例えば、図１２に示すように、入射面１２１に近い側の角Ｂでは凸部１１７の方向へ光が強く反射される。また、入射面１２１より遠い側の角Ｃでは導光板１１５の内側へ光が強く反射される。そのため、特に、入射面１２１から遠い側の部分Ｃでは、周辺部と比べて明るい輝線Ｄを発生させる。
【０００８】
このような凸部１１７に到達した光が原因で生じる明暗むらや輝線を低減するために、例えば特許文献１において、凸部の根元にＲを設け、あるいは凸部の側面に傾斜を設けることが開示されている。また、明暗むらを低減するために、凸部を極端に小さくすることも可能であるが、これにより導光板をフレーム等に保持することが困難となる。
【０００９】
【特許文献１】
特開２００２−８４２６号公報
【００１０】
【発明が解決しようとする課題】
本発明は、上記従来技術に鑑みてなされたものであって、光特性の向上された導光板、面状光源装置、及び表示装置を提供することを目的とする。
【００１１】
【課題を解決するための手段】
本発明に係る導光板は、入射面から入射した光を面状に導く導光板であって、本体部と、前記本体部の側面に形成された凸部を備え、前記凸部及び／又は前記凸部と前記本体部との接続部近傍において、前記導光板の内部が有色材料により形成されている。この構成を有することにより、導光板から出射される光の均一性を向上することができる。
【００１２】
上記導光板において、凸部の実質的に全ての部分が有色であることができる。あるいは、前記凸部と前記本体部との接続部の角部であって、前記入射面から遠い角部及び／又は前記入射面に近い角部が有色であることができる。これらの構成を有することにより、効果的に導光板から出射される光の均一性を向上することができる。上記導光板において、前記有色部は、多色成形によって前記導光板と一体に形成されていることが好ましい。この構成を有することにより、所望の特性を有する導光板を効率的に形成することができる。前記凸部は、前記入射面と前記入射面に対向する反入射面との間に位置する側面に形成されていることができる。この構成を有することにより、上記側面に凸部が形成されたときに生ずる出射光の非均一性を低減することができる。
【００１３】
本発明に係る面状光源装置は、光源と、前記光源から入射面に入射した光を面状に導く導光板とを備えた面状光源装置であって、前記導光板は、本体部と、前記本体部の側面に形成された凸部を備え、前記凸部及び／又は前記凸部と前記本体部との接続部近傍において、前記導光板の内部が有色材料により形成されている。この構成を有することにより、面状光源装置から出射される光の均一性を向上することができる。
【００１４】
上記面状光源装置は、さらに、前記凸部が嵌る凹部を有し、当該凹部に前記凸部が嵌ることにより、前記導光板を保持するフレームを備え、前記凸部は、当該フレームの材料の光学的性質と実質的に同一の光学的性質を有する材料により形成されることが好ましい。この構成を有することにより、所望の特性を有する導光板を効率的に形成することができる。
【００１５】
本発明に係る表示装置は、面状光源装置と、前記面状光源装置からの光を制御することによって表示を行う表示パネルとを備える表示装置であって、前記面状光源装置は、光源と前記光源から入射面に入射した光を面状に導く導光板と備え、前記導光板は、本体部と、前記本体部の側面に形成された凸部を備え、前記凸部もしくは前記凸部と前記本体部との接続部近傍において、前記導光板の内部が有色材料により形成されている。この構成を有することにより、表示装置の表示品位を向上することができる。
【００１６】
【発明の実施の形態】
本発明を適用可能な実施の形態を以下に説明する。以下の説明は、本発明の一つの実施形態を説明するものであって、本発明の範囲が以下の形態に限定されるものではない。当業者は、本発明の範囲において、必要もしくは可能な変更、変換、追加もしくは省略を行うことができる。又、以下の記載は、説明の明確化のため、実際の構成、寸法から、適宜、簡略もしくは変形がなされている。
【００１７】
実施の形態１．
図１を用いて、本形態にかかる面状光源装置を用いた液晶表示装置について説明する。図１は、液晶表示装置の分解斜視図を示す。図１に示すように、液晶表示装置１は、主たる構成要素として、バックライト・ユニット２、液晶表示パネル３、ドライバ回路４、フロントフレーム５を備える。フロントフレーム５は液晶表示窓があけられ、液晶表示パネル３とバックライト・ユニット２を外側から保持、保護する。面状光源装置であるバックライト・ユニット２は、後に詳細に説明する。このバックライト・ユニット２は、液晶表示パネル３の背面側に配置され、液晶表示パネル３に光を供給する。
【００１８】
液晶表示パネル３は、マトリックス状に配置された複数の画素から構成される表示領域とその外周領域である額縁領域とを有している。又、液晶表示パネル３は、アレイ回路が形成されたアレイ基板とその対向基板とを有し、その２つの基板の間に液晶が封入されている。カラー液晶表示装置は、対向基板上にＲＧＢのカラー・フィルター層を有している。液晶表示パネル３の表示領域内の各画素は、ＲＧＢいずれかの色表示を行う。もちろん、白黒ディスプレイにおいては、白と黒のいずれかの表示を行う。アレイ基板上の表示領域内には、複数の信号線とゲート線がマトリックス状に配設されている。信号線とゲート線とはお互いにほぼ直角に重なるように配設されている。ドライバ回路４から入力されるゲート電圧によって選択された各画素は、ドライバ回路４から入力される表示信号電圧に基づき液晶に電界を印加する。
【００１９】
このドライバ回路は、通常、ＴＡＢ（Tape Automated Bonding）によってアレイ基板に接続されるが、アレイ基板のガラス基板上に直接に設置されること、あるいはガラス基板上に直接形成されることもある。典型的には、信号線用の複数のソース・ドライバＩＣが、ＴＦＴアレイ基板のＸ軸側に設けられ、ゲート電圧を制御するゲート線用の複数のゲート・ドライバＩＣが、Ｙ軸側に設けられる。ソース・ドライバ回路から入力される電圧が、ＴＦＴのソース／ドレインを介して画素電極に送られ、画素電極と共通電極とが液晶に電界を印加する。この電圧を変えることにより液晶への印加電圧を変化させることができ、液晶の光の透過率を制御する。共通電極に共通電位を与える回路は、制御回路基板（不図示）上に構成される。液晶表示パネルは、上記のアクティブマトリックス型の他に、スイッチング素子を有していない単純マトリックス型などが知られている。本発明は様々なタイプ液晶表示パネルに適用可能である。あるいは、面状光源装置からの光を、表示パネルによって制御する様々な表示装置に適用することができる。
【００２０】
次に、図２を用いて、本形態におけるバックライト・ユニット２について説明する。図２は、バックライト・ユニット２を示す分解斜視図である。図２に示すように、バックライト・ユニット２は、光源１１、光源からの光を反射するリフレクタ１２、入射した光を導き拡散する導光板１３、反射シート１４、入射した光を集光するプリズム・シート１５、バックライト・ユニット２の各構成要素を収容するリア・フレーム１６を備えている。
【００２１】
光源１１は、冷陰極管（ＣＣＦＬ）や発光ダイオード（ＬＥＤ）などを利用することができる。リフレクタ１２は、銀箔または白色シートを表面層とする金属板、銀箔を貼られたＰＥＴシート、または白色シート等を使用することができる。光源１１とリフレクタ１２とは、導光板１３の側方に配される。導光板１３は、アクリル等の透明樹脂、透明樹脂中に光を散乱させる微粒子を混ぜた樹脂等が用いられる。また、導光板１３は、光源１１から遠ざかるにつれて厚さが徐々に薄くなるように構成してもよい。導光板１３は、光源１１と対向し、光源からの光が入射する入射面２１、及び、入射した光を目的方向に出射する出射面２２、入射面２１と出射面との間に形成され、互いに対向する２つの側面２３とを備えている。さらに、導光板１３は、出射面２２に対向する反出射面２４及び、入射面２１に対向する反入射面２５を有している。側面２３は入射面２１と反入射面２５との間に位置する。
【００２２】
導光板１３は、光源１１から入射面２１に入射された光を面状に導き、出射面２２からプリズム・シート１５に光を出射させる。導光板１３は、本体部１３ａと、側面２３のそれぞれに形成された凸部１７とを備える。凸部１７については、後に詳述する。図２に示すように、本体部１３ａは楔形状とすることができる。また、本体部１３ａの出射面２２は、出射光の分布を調整するために面内において平均粗さの異なる粗面とすることができる。導光板１３の反出射面２４には、プリズム列Ｐ２が設けられる。プリズム列Ｐ２は、入射面２１から反入射面２５への方向に延びる複数のプリズム構造部から構成される。プリズム列Ｐ２は、プリズム構造部が並ぶ方向（２つの側面２３間の方向）に光を集光する機能を有している。
【００２３】
反射シート１４には、銀箔やアルミ箔を貼られたシート、または白色シート等を用いることができる。反射シート１４は、導光板１３の反出射面２４側に配置される。プリズム・シート１５には、入射面２１に対して水平方向に伸びる複数のプリズム構造部から構成されるプリズム列Ｐ１が設けられる。プリズム・シート１５は、導光板１３の出射面２２側に、プリズム列Ｐ１が出射面２２に対向するように配置される。プリズム・シート１５は、入射した光を、入射面２１と反入射面２５との間の方向に集光する機能を有している。
【００２４】
光源１１から発せられた光の伝搬の概略について説明する。光源１１より発せられた光は、導光板１３の入射面２１に直接入射し、あるいは、リフレクタ１２に反射されて入射面２１に入射する。入射面２１から導光板１３に入射した光は、主として出射面２２と反出射面２４の間で全反射を繰り返しながら、反入射面２５方向へ伝搬する。そして、入射した光は、出射面２２の法線となす角が臨界角以下になると、出射面２２よりプリズム・シート１５へ出射される。また、導光板１３に入射した光の一部は、反出射面２４から出射する。この光は、反射シート１４によって反射されて再び導光板１３内に戻り、プリズム・シート１５へ出射面２２から出射される。プリズム・シート１５は、入射された光の配光特性を調整し、表示面の垂直方向に光を集光する。
【００２５】
本形態のバックライト・ユニットは、他の様々な構成を有することができる。例えば、下向きプリズム・シートに代えて、上向きプリズム・シートを使用することができる。あるいは、プリズム構造部の方向が交差する２枚の上向きプリズム・シートを使用することができる。導光板の反出射面上のプリズム列を省き、反出射面上にドット・パターンを形成し光の出射を制御することができる。これらの他、本発明は、多くのタイプのバックライト・ユニットに適用することが可能である。
【００２６】
導光板の凸部１７について、説明する。導光板１３は、側面２３のそれぞれに、凸部１７を有している。凸部１７は、フレーム１６の凹部１８に嵌合し、フレーム１６内の導光板１３の位置が決められる。凸部１７によって導光板１３がフレーム１６に係止されることにより、導光板１３が光源１１に衝突し、光源１１を損傷することを防ぐことができる。フレーム１６は、白色または黒色など、有色の材料で形成することができる。フレーム１６は、典型的には、ポリカーボネート等の樹脂材料から形成される。
【００２７】
凸部１７あるいは、凸部１７と本体部１３ａとの接続部近傍は、有色材料により形成される。接続部近傍は接続部を含む。ここで接続部は、凸部１７と本体部１３ａとの界面及びその近傍部分から構成される。有色材料部の形成は、２色もしくは３色以上の多色成形により、導光板に一体的に形成することができる。２色成形の技術は広く知られており、本明細書において詳細な説明は行われない。凸部１７は、本体部１３ａの側面２３に、導光板１３に一体形成されている。側面２３は、入射面２１と出射面２２との間に位置し、入射面２１及び出射面２２のそれぞれとほぼ直交する。
【００２８】
図３は、本形態の凸部１７を側面２３側から見た斜視図である。図３に示すように、側面２３に設けられた凸部１７は、その全体が白色、灰色、黒色等の有色樹脂により形成される。この有色樹脂は、導光板１３を保持するフレーム１６と同等の色調、あるいは反射率を有することが望ましい。例えば、フレーム１６が白色である場合、有色部は白色が好ましい。図３に示すように、凸部１７は略直方体形状に形成され、内部が全て有色となっている。凸部１７の形状は、図３ではほぼ直方体であるが、直方体に限らず、凸部１７の側面に傾斜をつけ、あるいは、その側面が曲面であることができる。また、後述するように、凸部１７は、その全体に限らず、その一部分を有色とすることができる。
【００２９】
続いて、凸部１７における光の伝搬について説明する。図４は、導光板１３に入射された光の経路を示す模式平面図である。説明の明確化のため、凸部１７の全体が、白色樹脂で形成されている例を説明する。図４に示すように、導光板１３内を伝搬する典型的な光は、側面２３に到達すると、導光板１３の内側へと反射される。一般に、導光板１３が有する凸部１７が無色の場合、図１２を参照して説明したように、ほぼ凸部１７の幅に対応した暗部が視認される。これに対して、本実施の形態における凸部１７は白色であるため、導光板１３内を伝搬する光は、図４で斜線により示す有色部分の表面で散乱あるいは反射される。すなわち、凸部１７を白色の樹脂で形成することにより、凸部１７の部分に光が侵入するのを防ぐことができる。これにより、明暗むらを低減することができる。
【００３０】
又、導光板１３が有する凸部１７が無色の場合、図１２を参照して説明したように、凸部１７と側面２３の接続部分の角部１９ａ、１９ｂでは、光が特定の方向に強く反射され、輝線が発生する。本形態における凸部１７は白色であるため、導光板１３内を伝搬する光は、白色部分の表面で散乱あるいは反射する。このように凸部１７を白色の樹脂で形成することにより、本体部１３ａと凸部１７との接続部分の角部１９ａ、１９ｂで光が特定の方向に強く反射するのを防ぐことができる。これにより、凸部１７と側面２３の接続部近傍において、周辺部と比べて明るい輝線が出射面２２内に生じるのを防止することができる。
【００３１】
凸部１７は、光の反射、散乱あるいは吸収を考慮して、適切な色の有色材料で形成することができる。例えば、灰色の樹脂で凸部を形成することによって、白色と比較して、光の吸収を大きくすることができる。導光板から出射される光のむら、あるいは輝線などを低減するように、適切な色を選択することができる。この点は、以下の実施の形態において同様である。凸部１７全てを有色とすることなく、凸部と本体部との接続部のみを有色材料で形成し、例えば、凸部の先端部を透明材料で形成することができる。接続部が有色であることにより、凸部内に光が進入することを抑制することができる。凸部１７は導光板の側面の一つである反入射面に形成することができる。このように、本実施の形態１において、導光板１３の側面２３に設けられた凸部１７が有色となるように形成され、明暗むら、あるいは輝線の発生を低減することができ、表示品位が高い液晶表示装置を実現することができる。
【００３２】
実施の形態２．
有色部の他の形態を、図５を参照して説明する。図５は、本体部１３ａと凸部１７との接続部において、入射面２１から遠い角部１９ｂを有色とした場合を示す。角部は、接続部の角及びその近傍を含む。図５において、有色部分１７ａを斜線で示している。有色部１７ａは、出射面から反出射面まで、ほぼ断面同形状に形成されている。このように、凸部１７の接続部分の角部１９ｂを有色とすることにより、角部１９ｂで光が特定の方向に強く反射するのを防ぐことができる。これにより、凸部１７との接続部で、周辺部と比べて明るい輝線が出射面２２内に生じるのを抑制することができる。
【００３３】
角部１９ｂに透明部との界面が曲面状の有色部を形成することによって光の拡散性が増し、光が特定の方向に強く反射するのを防ぐことができる。あるいは、例えば、角部１９ｂを灰色や黒に着色することによって光の吸収を増加させ、輝線の発生を抑制することができる。角部１９ｂの有色部１７ａは、接続部の角を囲む円周状の一部のみに形成することができる。
【００３４】
実施の形態３
図６は、図５と同様に本体部１５ａと凸部１７との接続部分の角部１９ｂを有色とするとともに、凸部１７の内側の一部を有色とした場合を示す。図６において、有色部分１７ｂを斜線で示している。有色部分１７ｂは、凸部１７と側面２３との接続部分の入射面２１から遠い角部１９ｂを含む。角部１９ｂの有色部は実施の形態２と同様であり、説明を省略する。凸部１７内の有色部と透明部との界面は側面２３に対し傾斜し、入射面２１から遠くなるにつれて導光板内部に近づく平面である。有色部分１７ｂの出射面に平行な断面は略三角形状である。
【００３５】
凸部１７の内側の有色部分の表面が傾斜を持った面であるので、光の反射する方向を制御することができる。図６に示す形状の場合、有色部分１７ｂの表面で反射した光は、側面２３において反射される光に比較し、入射面２１側に近い経路を伝搬する。このように出射面２２から出射する光量を調整することにより、明暗むらを低減することができる。界面形状あるいは有色部の色や材料を適宜選択することにより、出射面２２から出射する光量を調整することができる。
【００３６】
実施の形態４
図７は有色部の他の形態を示している。図７において、有色部分１７ｃが斜線で示されている。図7において、本体部１３ａと凸部１７との接続部分の角部１９ａは有色であり、さらに、凸部１７の内側の一部が有色である。有色部分１７ｃは、凸部１７と側面２３との接続部分の入射面２１から近い角部１９ａを含む。このように本体部１３ａと凸部１７との接続部分の入射面２１から近い角部１９ａを有色とすることにより、角部１９ａで光が特定の方向に強く反射するのを防ぐことができる。角部１９ａの周囲に曲面状の有色部を形成することによって光の拡散性が増し、光が特定の方向に強く反射するのを防ぐことができる。あるいは、例えば、角部１９ａを灰色や黒に着色することによって光の吸収を増加させ、輝線の発生を抑制することができる。角部において、有色部は角を囲む円周状の一部のみに形成することができる。
【００３７】
凸部１７内の有色部と透明部との界面は側面２３に対し傾斜し、入射面２１から遠くなるにつれて導光板内部から遠ざかる平面である。出射面に平行なその断面は略三角形状である。有色な部分の形態において、入射面２１及び側面２３に垂直な断面で有色な部分は、出射面２２側上面とほぼ同形状で有色となっている。すなわち、有色な部分は、立体的に、図７に示す形状を底面とした略柱状形状となっている。凸部１７の内側の有色部分の表面が傾斜を持った面であるので、光の反射する方向を制御することができる。これにより、凸部１７の出射面２２から出射する光量を調整することができる。そして、この光量を調整することにより、明暗むらを低減することができる。尚、界面形状あるいは有色部の色や材料を適宜選択することにより、凸部１７の出射面２２から出射する光量を調整することができる。
【００３８】
その他の実施の形態．
実施の形態１−４においては、導光板１３に凸部１７を設け、フレーム１６には凹部１８を設けてフレーム１６に対する導光板１３の位置決めを行った。これに対して逆に、以下の実施の形態においては、図８乃至図１０に示すように、導光板１３に凹部２０を設け、フレーム１６に凸部を設けて位置決めを行う。導光板１３に凹部２０を設けることにより、この本体部１３ａの側面２３に凸部１７が形成される。このように、導光板１３に凹部２０を設ける場合、凸部１７あるいは、凸部１７と本体部１３ａの接続部近傍に有色部分が形成される。
【００３９】
図８は、凸部１７の全てを有色にした場合を示す。導光板１３は、側面２３に二つの凸部１７を有しており、凹部２０はこれらの間に位置する。図８において、有色部分を斜線で示している。図４に示した場合と同様に、例えば凸部１７を白色の樹脂を利用して２色成形により形成することができる。導光板１３内を伝搬する光は、図８で斜線により示す白色部分の表面で散乱あるいは反射される。これにより、凸部１７近傍の出射面２２から出射する光量をほぼ均等にすることができ、明暗むらを低減することができる。
【００４０】
さらに、このように凸部１７を有色の樹脂で形成することにより、本体部１３ａと凸部１７との接続部分の角部２０ａ、２０ｂで光が特定の方向に強く反射するのを防ぐことができる。これにより、凸部１７と側面２３の接続部周辺で、周辺部と比べて明るい輝線が出射面２２内に生じるのを防止することができる。有色部は、実施の形態１で説明されたように、均一な出射光を得るために、適切な、材料、色、あるいは形状によって形成することができる。
【００４１】
図９は、本体部１３ａと凸部１７との接続部分の角部２０ａ、２０ｂを有色とした場合を示す。図９において、この有色部分１７ｄを斜線で示している。本体部１３ａと凸部１７との接続部分の角部２０ａ、２０ｂが有色であるため、角部２０ａ、２０ｂで光が特定の方向に強く反射するのを防ぐことができる。これにより、周辺部と比べて明るい輝線が出射面２２内に生じるのを防止することができる。実施の形態２において説明したように、角部における有色部に、様々な変形を適用することができる。
【００４２】
図１０は、図９と同様に本体部１３ａと凸部１７との接続部分の角部２０ａ、２０ｂを有色とするとともに、凸部１７の内側の一部を有色とした場合を示す。図１０において、有色部分１７ｅを斜線で示している。有色部分１７ｅは、凸部１７と側面２３との接続部分の入射面２１から遠い角部２０ｂと近い角部２０ａを含む。角部については、図９と同様であり説明を省略する。光源１１に近い凸部と遠い凸部のそれぞれの内側には、有色部分１７ｅが形成されている。光源１１に近い凸部内の有色部と透明部との界面は側面２３に対し傾斜し、入射面２１から遠くなるにつれて導光板内部に近づく平面である。
【００４３】
一方、光源１１から遠い凸部内の有色部と透明部との界面は側面２３に対し傾斜し、入射面２１から遠くなるにつれて導光板内部から遠くなる平面である。このように、有色部分の表面部が傾斜を持った面であるので、光の反射する方向を制御することができる。これにより、出射面２２に到達する光量を調整することができる。そして、この光量を調整することにより、明暗むらを低減することができる。尚、界面形状あるいは有色部の色や材料を適宜選択することにより、出射面２２から出射する光量を調整することができる。
【００４４】
これらの有色部分の形態において、入射面２１及び側面２３に垂直な断面で有色部分は、図８乃至図１０に示すような出射面２２側上面とほぼ同形状で有色となっている。すなわち、有色な部分は、立体的に、図８乃至図１０に示す形状を底面とした略柱状形状とすることができる。
【００４５】
このように、導光板１３に凹部２０を設け、フレーム１６に凸部を設けて位置決めを行う場合、凸部１７に有色な部分を形成することにより、本体部１３ａと凸部１７との接続部分の角部で光が特定方向に強く反射するのを防ぐことができる。これにより、周辺部と比べて明るい輝線が出射面２２内に生じるのを防止することができる。さらに、凸部１７に有色な部分を形成することにより、出射面２２から出射する光量を制御することができ、明暗むらを低減することができる。
【００４６】
なお、本発明にかかる導光板の有色部分は、これらの形状に限らず、種々の形状とすることができる。さらに、本発明にかかる導光板の凸部の有色部分と本体部の透明部分との境界は明確でなくともよく、透明部から有色部にグラデーションをもって導光板を形成することができる。上記有色部の出射面２２に平行な断面を、出射面２２から反出射面２４への方向に、変化させることができる。本発明にかかる導光板は、表示装置に限らず、光源からの光を面状に導く種々の装置に用いることができる。本発明にかかる光源装置は、液晶表示装置に限らず、種々の表示装置に適用することが可能である。
【００４７】
【発明の効果】
本発明によれば、光特性の向上された導光板、面状光源装置、及び表示装置を提供することができる。
【図面の簡単な説明】
【図１】本発明の実施の形態における液晶表示装置の構成を示す分解斜視図である。
【図２】本発明の実施の形態におけるバックライト・ユニットの構成を示す分解斜視図である。
【図３】本発明の実施の形態における導光板の凸部の一例を示す斜視図である。
【図４】本発明の実施の形態における導光板内の光の伝播を示す模式平面図である。
【図５】本発明の実施の形態における導光板の他の一例を示す平面図である。
【図６】本発明の実施の形態における導光板の他の一例を示す平面図である。
【図７】本発明の実施の形態における導光板の他の一例を示す平面図である。
【図８】本発明の実施の形態における導光板の他の一例を示す平面図である。
【図９】本発明の実施の形態における導光板の他の一例を示す平面図である。
【図１０】本発明の実施の形態における導光板の他の一例を示す平面図である。
【図１１】従来における面状光源装置を示す斜視図である。
【図１２】従来における導光板内の光の伝播を示す模式平面図である。
【符号の説明】
１  液晶表示装置、２  バックライト・ユニット、３  液晶表示パネル、４  回路基板、５  フロントフレーム、１１  光源、１２  リフレクタ、１３  導光板、１３ａ  本体部、１４  反射シート、１５  プリズム・シート、１６  フレーム、１７  凸部、１７ａ、１７ｂ、１７ｃ、１７ｄ、１７ｅ  有色部分、１９ａ、１９ｂ  角部、２０  凹部、２０ａ、２０ｂ  角部、２１  入射面、２２  出射面、２３  側面、２４  反出射面、２５  反入射面、１１０  バックライト・ユニット、１１１  光源、１１２  リフレクタ、１１３  プリズム・シート、１１４  反射シート、１１５  導光板、１１６  フレーム、１１７  凸部、１１８ａ、１１８ｂ  拡散シート、１１９  凹部、１２１  入射面、１２２  出射面、１２３  側面、１２４  反出射面、１２５  反入射面
【図１】
2004213948.tif 000003
【図２】
2004213948.tif 000004
【図３】
2004213948.tif 000005
【図４】
2004213948.tif 000006
【図５】
2004213948.tif 000007
【図６】
2004213948.tif 000008
【図７】
2004213948.tif 000009
【図８】
2004213948.tif 000010
【図９】
2004213948.tif 000011
【図１０】
2004213948.tif 000012
【図１１】
2004213948.tif 000013
【図１２】
2004213948.tif 000014